(57)【要約】      （修正有）【課題】公知の仕切り板を有する収納箱の、収納箱の折り畳み時、まず、仕切り板を収納箱から取り出して収納箱と仕切り板を保管する時の不便を改善する。【解決手段】収納箱の仕切り構造は、内空間を有し、折り畳める箱体からなり、箱体の内底面は底板を置入する。箱体の内空間は、L字型、門型、四角形、長門型と円弧形の仕切り板を選択的に設置し、これらの仕切り板の両板体の間は転折部を有し、仕切り板の二垂直端辺は連接部で、箱体側壁の内側面に連接され、仕切り板は転折部、及び、連接部により箱体内で折り畳むことができ、箱体の内空間を複数の小さい収納空間に仕切り、これらの仕切り板は湾折でき、箱体と共に小さく折り畳むことができる。【選択図】図１
0003138118.tif 000002
【実用新案登録請求の範囲】
【請求項１】
収納箱の仕切り構造であって、
底面を有し、前記底面上面の各辺に上に側壁を延伸し、前記側壁と前記底面は共同で内空間を構成する箱体と、
前記箱体の底面上に配置される底板と、
L字型、門型、四角形、長門型と円弧形を呈し、両板体の間に転接部を有し、各種形状が選択されて前記箱体内に設置され、二垂直端辺は連接部で、前記箱体側壁の内側面に連接されて、前記転接部、及び、前記連接部により、前記箱体内で折り畳むことができる複数の仕切り板と、
からなることを特徴とする収納箱の仕切り構造。  
【請求項２】
前記箱体は直方体で、L字型、門型、四角形、長門型等の仕切り板を選択し、組み合わせて、前記直方体箱体内に設置して、複数の収納空間を仕切ることを特徴とする請求項１に記載の収納箱の仕切り構造。
【請求項３】
前記箱体は円筒形で、前記円弧形の仕切り板は、少なくとも二個を連接して設置し、相互に湾折できる半円弧板で、少なくとも一つの円弧形仕切り板の両側は前記円筒形の箱体内側壁に連接されることを特徴とする請求項１に記載の収納箱の仕切り構造。
【考案の詳細な説明】
【技術分野】
【０００１】
本考案は物品を収納する収納箱に関するものであって、箱体内の空間を若干の収納空間に仕切る仕切り構造に関する。
【背景技術】
【０００２】
小物を分類して収納するため、収納箱は内空間中を仕切り板で複数の収納空間に仕切っている。これらの仕切り板はプラスチック、木材、金属等、硬質材料からなる。よって、収納箱に設置された後、収納箱を折り畳むことは出来ない。もし、収納箱を折り畳みたい場合、仕切り板を収納箱から取り出して、取り出した後の仕切り板は別途に保管する必要があり、使用上、不便である。
【考案の開示】
【考案が解決しようとする課題】
【０００３】
本考案は、公知の仕切り板を有する収納箱の、収納箱の折り畳み時、まず、仕切り板を収納箱から取り出して、収納箱と仕切り板を保管する時の不便を改善することを目的とする。  
【課題を解決するための手段】
【０００４】
本考案の仕切り板を有する収納箱は、仕切り板を収納箱の内空間側壁に直接連接し、且つ、仕切り板は収納箱に対応して旋転する。収納箱を使用する時、これらの仕切り板を収納箱の箱体内で展開し、複数の収納空間に区切り、収納箱の不使用時には、仕切り板を箱体内で旋転させて扁平に折り畳み、収納箱を扁平に折り畳むことができる。
【考案の効果】
【０００５】
本考案は、公知の仕切り板を有する収納箱の収納箱の不便を改善する。
【考案を実施するための最良の形態】
【０００６】
図１は本考案の第一実施例を示す図で、内空間を有する箱体１、及び、箱体１の内空間中に設置される仕切り板２、からなる。箱体１は底面を有し、底面上面の各辺は上に側壁１１を延伸し、これらの側壁と底面は共同で内空間を構成する。箱体１は充分な硬度、及び、強度の木板、金属板、プラスチック板、或いは、紙板等を側壁１１の主体とし、板体の外面は布材を被覆する。板体と板体の間は、布材により連接して折線１２とし、両板体の間は相対して湾折でき、収納箱と底板を折り畳むことが出来る。仕切り板２は箱体１の内空間を複数の小さい収納空間に仕切り、靴下、ハンカチ、下着等の小さい物品の収納に便利である。収納箱は、収納棚４と合わせて使用できる（図２で示される）。
【０００７】
図３で示される仕切り構造の実施例は、二個のL字型仕切り板２を箱体１の内空間の相対する二個の隅に設置し、各L字型の仕切り板２の両連接部は、それぞれ、箱体の両垂直側壁の内側に連接され、その連接箇所は、縫合により連接部２１を形成する。L字型仕切り板２の両板体の連接箇所は、相対して旋転する転折部２２で、箱体１内に設置されたL字型仕切り板２の展開時、箱体内を四個の収納空間に仕切ることができる。L字型仕切り板２が箱体側壁で折り畳まれるとき、折線３１を有する底板３を直接、箱体内の底面上に置く。
【０００８】
図４は、図３の仕切り構造の実施例で、折り畳みたい時、直接、各L字型の仕切り板２の転折部２２を箱体１の角方向に推動し、突出していた転接部は凹入状態になり、各仕切り板２を側壁１１に寄らせ、折線１２に沿って、箱体を扁平状に折り畳むことができる（図４と図５で示される）。
【０００９】
図６で示されるように、本考案は、四個のL字型仕切り板２を箱体１の内空間の四個の隅に設置して、各L字型仕切り板２の両連接部２１はそれぞれ箱体１の両垂直側壁の内側に連接する。また、仕切り板２Aの垂直辺はL字型仕切り板２の転折部２２に連接され、これにより、箱体１の内空間を９個の収納空間に仕切る。仕切り板２Aの各角は、相対して旋転する設計である。よって、収納箱を折り畳みたい時、図７で示されるように、各L字型仕切り板２の転折部２２を箱体１の角方向に推動し、同時に、仕切り板２Aを箱体の角方向に推動し、突出していた転接部２２が凹入状態になり（図７で示される）、各仕切り板２を側壁１１に寄らせ、折線１２に沿って、箱体を扁平状に折り畳むことができる。
【００１０】
図８は、本考案の仕切り構造を示す図で、二個のL字型仕切り板２と二個の門型仕切り板２Bを箱体１の内空間に設置し、二個のL字型仕切り板２を箱体１の対応する二角に設置し、L字型仕切り板２の両連接部２１は、それぞれ、箱体１の両垂直側壁の内側に連接され、両門型仕切り板２Bは箱体内の対称両側壁の交差位置に設置され、各門型仕切り板２Bの両連接部２１は、箱体の同一側壁に連接されて、仕切り板展開時、箱体の内空間を８個の収納空間に仕切る。収納箱を折り畳みたい時、図９と図１０で示されるように、各L字型仕切り板２の転折部２２は、箱体１の角方向に推動し、門型仕切り板２Bは順に、二個の転折部を湾折後、仕切り板を箱体の側壁に寄らせ、箱体を扁平状に折り畳むことができる。
【００１１】
図１１は、本考案の仕切り構造を示す図で、二個のL字型仕切り板２と二個の長門型仕切り板２Cを箱体１の内空間に設置する。二個のL字型仕切り板２を箱体１の対応する二角に設置し、L字型仕切り板２の両連接部２１は、それぞれ、箱体１の両垂直側壁の内側に連接され、長門型仕切り板２Cの両側の連接部２１は、箱体の相対する二側壁に連接され、箱体の内空間を３個の収納空間に仕切る。収納箱を折り畳みたい時、図１２で示されるように、L字型仕切り板２の転折部２２を箱体１の角方向に推動し、長門型仕切り２Cの両側転折部を湾折後、仕切り板を箱体の側壁に寄らせ（図１３で示される）、箱体を扁平状に折り畳むことができる。
【００１２】
図１４は、本考案の仕切り構造を示す図で、二個の長門型仕切り板２Cを箱体１の内空間に設置し、両長門型仕切り板２Cの両側の連接部２１は、箱体の相対する二側壁に連接され、箱体１の内空間を３個の収納空間に仕切る。収納箱を折り畳みたい時、図１５で示されるように、二個の転折部を湾折後、仕切り板を箱体の側壁に寄らせ、箱体を扁平状に折り畳むことができる。
【００１３】
図１６は、本考案の仕切り構造を示す図で、箱体１を円筒形に設計し、少なくとも一つの円弧形仕切り板２Dの両側の連接部２１は、箱体の側壁に連接され、円弧形の仕切り板は、二個を連接して設置し、相互に湾折できる半円弧板で、両半円弧板の間に転折部２２を有し、使用者は、転接部２２に施力する時、半円弧板の方向を転換し（図１６の点線で示される）、箱体内の仕切り形態を変更させる。
【００１４】
本考案の各仕切り板と箱体間の連接部は、縫合方式により、転折可能な形態に固定しても、箱体側壁にカバー１３を設置してもよく（図１７で示される）、各仕切り板の側辺はカバーを挿入して連接を完成するか、或いは、適当な嵌合方式で仕切り板と箱体の連接を完成させる。
【図面の簡単な説明】
【００１５】
【図１】本考案の箱体内に二個のL字型仕切り板を設置して、四個の収納空間を仕切る実施例を示す図である。
【図２】本考案の収納箱が収納棚と組み合わせることができる実施例の立体図である。
【図３】図１の収納箱で、箱体底部に設置された底板を取り出し、各L字型仕切り板を湾折する実施例の動作図である。
【図４】図３の箱体を折り畳む動作図である。
【図５】図４の箱体を扁平状に折り畳む動作図である。
【図６】本考案の箱体内に四個のL字型仕切り板、及び、一つの四角形仕切り板を設置し、９個の収納空間を仕切る実施例の平面図である。
【図７】図６の各仕切り板を湾折し、折り畳む動作図である。
【図８】本考案の箱体内に二個のL字型仕切り板、及び、二個の門型仕切り板を設置し、８個の収納空間を仕切る実施例の平面図である。
【図９】図８の各仕切り板を湾折し、折り畳む動作図である。
【図１０】図９の各仕切り板を更に折り畳む実施例の動作図である。
【図１１】本考案の箱体内にL字型仕切り板一つと長門型仕切り板一つを設置し、３個の収納空間に仕切る実施例の平面図である。
【図１２】図１１の各仕切り板を湾折し、折り畳む動作図である。
【図１３】図１２の各仕切り板を更に折り畳む実施例の動作図である。
【図１４】本考案の箱体内に二個の長門型仕切り板を設置し、３個の収納空間を仕切る実施例の平面図である。
【図１５】図１４の各仕切り板を湾折し、折り畳む動作図である。
【図１６】本考案の円筒形箱体内に複数の円弧形仕切り板を設置する実施例図である。
【図１７】本考案の仕切り板の二側が嵌合方式で箱体側壁に嵌合されるカバーの実施例を示す図である。
【符号の説明】
【００１６】
１        箱体
１１      側壁
１２      折線
１３      カバー
２        L字型仕切り板
２A      四角形仕切り板
２B      門型仕切り板
２C      長門型仕切り板
２D      円弧形仕切り板
２１      連接部
２２      転折部
３        底板
３１      折線
４        収納棚
【図１】
0003138118.tif 000003
【図２】
0003138118.tif 000004
【図３】
0003138118.tif 000005
【図４】
0003138118.tif 000006
【図５】
0003138118.tif 000007
【図６】
0003138118.tif 000008
【図７】
0003138118.tif 000009
【図８】
0003138118.tif 000010
【図９】
0003138118.tif 000011
【図１０】
0003138118.tif 000012
【図１１】
0003138118.tif 000013
【図１２】
0003138118.tif 000014
【図１３】
0003138118.tif 000015
【図１４】
0003138118.tif 000016
【図１５】
0003138118.tif 000017
【図１６】
0003138118.tif 000018
【図１７】
0003138118.tif 000019